(57)【要約】【課題】  デッキの正面や側面に固定する幕板に固定のためのネジが露出するのを防止する。【解決手段】  幕板４の裏面に幕板先付金具５をネジ８止めし，該幕板先付金具５をデッキ材３支持用の大引２に固定することによってデッキＡ正面のデッキ材３長手方向端面に幕板４を設置し，また同じく幕板４の裏面にネジ８止めした別形状の幕板先付金具５を，大引２の側面にネジ８止めした支持金具６に嵌着することによってデッキＡ側面のデッキ材３側面に幕板４を設置する。後者の支持金具６は幕板先付金具５を下端で引掛係止自在とし，その引掛係止に際して引掛部を支軸として回動することによって支持金具６に幕板先付金具５がスナップイン係止するようにして，簡易に確実な嵌着をなし得るようにしてある。【選択図】  図４
2007191983.tif 000002
【特許請求の範囲】
【請求項１】
幕板裏面に先付け固定した幕板先付金具を用い，該幕板先付金具をデッキ材支持用の大引又はデッキ材に対して直接固定し又は該大引又はデッキ材に設置した支持金具を介して間接固定することによってデッキ材に対して幕板を配置してなることを特徴とするデッキ。
【請求項２】
デッキ材を支持する大引とデッキ材長手方向端面に化粧配置する幕板先付用の幕板先付金具とを備えるとともに上記大引上面の少なくとも幅方向片側端部に段差受部を，上記幕板先付金具に載置片をそれぞれ配置し，上記幕板裏面に先付け固定した幕板先付金具の載置片を上記大引の段差受部に載置固定することによって上記幕板先付金具を大引に直接固定し且つデッキ材を大引に後付固定することによってデッキ材長手方向端面に対して幕板を直交配置してなることを特徴とする請求項１に記載のデッキ。
【請求項３】
上記大引の側面上下中間位置に上向き開口の受溝を，幕板先付金具に該受溝に係合する支持突起をそれぞれ配置し，上記段差受部への載置片の載置固定に加えて，幕板先付金具の支持突起を大引の受溝に係合支持してなることを特徴とする請求項２に記載のデッキ。
【請求項４】
デッキ材を支持する大引固定用の支持金具と端部位置のデッキ材側面に化粧配置する幕板先付固定用の幕板先付金具とを備えるとともにこれら支持金具と幕板先付金具とを相互に嵌着自在とし，上記幕板裏面に先付け固定した幕板先付金具と大引に固定した支持金具を相互に嵌着することによって，上記幕板先付金具を該支持金具を介して大引に間接固定して端部位置のデッキ材側面に対して幕板を平行に添設配置してなることを特徴とする請求項１に記載のデッキ。
【請求項５】
上記支持金具と幕板先付金具の嵌着を，支持金具と幕板先付金具にそれぞれ配置した引掛係止部の引掛係止と該引掛係止部を支軸とする回動押圧によるスナップイン係止部のスナップイン係止によって行ってなることを特徴とする請求項４に記載のデッキ。
【請求項６】
上記大引に幕板先付金具を間接固定するように該大引に設置した支持金具を，大引の側面にネジ止めする複数のタッピングホールを備えた長尺材を切断加工して形成し，その大引への固定を該タッピングホールから大引にネジを螺入することによって行ってなることを特徴とする請求項４又は５に記載のデッキ。
【請求項７】
デッキ材固定用の支持金具とデッキ材長手方向端面に化粧配置する幕板先付固定用の幕板先付金具とを備えるとともにこれら支持金具と幕板先付金具とを相互に嵌着自在とし，上記幕板裏面に先付け固定した幕板先付金具とデッキ材長手方向端部に固定した支持金具を相互に嵌着することによって，上記幕板先付金具を該支持金具を介してデッキ材に間接固定してデッキ材長手方向端面に対して幕板を直交配置してなることを特徴とする請求項１に記載のデッキ。
【請求項８】
請求項２，３又は７に記載のデッキ材長手方向端面に対して直交配置した幕板と，請求項４，５又は６に記載の端部位置のデッキ材側面に対して平行に添設配置した幕板の双方を併用して平面２辺又は３辺のデッキ材を囲繞してなることを特徴とするデッキ。
【発明の詳細な説明】
【技術分野】
【０００１】
本発明は，一般に住宅の建物開口から庭に突出する如くに設置使用するデッキに関する。
【背景技術】
【０００２】
この種デッキは，一般に基礎石上に起立固定した多数の束柱に大引を架設固定し，該大引に直交するようにデッキ材を載置固定した基本構造を有するものとされ，このときデッキ材は合成樹脂の中空押出材によって形成され，その幅方向端部には溝が形成されたものとされることが多く，従って大引と交差するデッキ面にはデッキ材の長手方向端部の中空部が露出し，また大引と平行なデッキ面にはデッキ材の幅方向端部の溝が露出することから，これらデッキ材に幕板を設置することによってこれら長手方向端部及び幅方向端部の化粧を行うものとされる。
【０００３】
この幕板の設置については，例えば幕板の中空部にネジ受面を形成する金具を固定し，デッキ材を該金具に突き当て配置して，幕板から該金具に対してネジを螺入する如くに幕板表面からネジを用いた固定を行うのが一般であり，例えば本出願人の提案に係るものも，デッキ材中空部嵌挿用の上位金具とデッキ材下面突き当て配置用の下位金具を用い，上位金具に形成した傾斜片からデッキ材の底板を貫通して下位金具に形成したネジ受に対してネジを螺入することによって上下位金具をデッキ材に固定した後に，下位金具の幕板受座に幕板下端を載置するとともに該幕板表面側から上下位金具に対してネジ固定を行うものとされている。
【０００４】
【特許文献１】特願２００４−２４４６００号
【発明の開示】
【発明が解決しようとする課題】
【０００５】
このように幕板側からネジを螺入して幕板を固定する場合，化粧のために設置した幕板の表面にネジが露出するのを避けられず，デッキの外観を損うという問題点が残されている。また幕板からネジを螺入するには，隣地や他の構造物等とデッキとの間にネジ螺入の操作を行うためのスペースを必要とするところ，デッキが隣地や他の構造物等に近接することによって，デッキの設置現場によっては該スペースを確保できないという問題点が残されている。
【０００６】
本発明はかかる事情に鑑みてなされたもので，その解決課題とするところは，幕板からネジを螺入することなく幕板を設置可能とすることによって，幕板の表面にネジが露出するのを防止して外観を良好とするとともに隣地や他の構造物等と近接してネジ螺入操作のスペースを確保し得ない現場においても幕板を設置し得るようにしたデッキを提供するにある。
【課題を解決するための手段】
【０００７】
上記課題に沿って本発明は，幕板の裏面に予め幕板先付金具を先付け固定し，該幕板先付金具をデッキの大引又はデッキ材に対して，例えばネジ等の金具によって直接に固定し又は大引又はデッキ材に該幕板先付金具を受止めする支持金具を固定し，該支持金具を介してこれら大引又はデッキ材に間接的に固定することによって，幕板からのネジ固定を行うことなく幕板を設置可能としたものであって，即ち請求項１に記載の発明を，幕板裏面に先付け固定した幕板先付金具を用い，該幕板先付金具をデッキ材支持用の大引又はデッキ材に対して直接固定し又は該大引又はデッキ材に設置した支持金具を介して間接固定することによってデッキ材に対して幕板を配置してなることを特徴とするデッキとしたものである。
【０００８】
請求項２に記載の発明は，上記に加えて，デッキ材の配置によって定まるデッキの正面又は側面におけるデッキ材の端面が現れる箇所に幕板を設置するに，該箇所はデッキ材と直交することによって大引の側面が現れるので，その長手方向適宜位置の上面に幕板先付金具の載置片を載置固定することによって，大引に幕板先付金具を直接固定して幕板を設置する形態とするように，これを，デッキ材を支持する大引とデッキ材長手方向端面に化粧配置する幕板先付用の幕板先付金具とを備えるとともに上記大引上面の少なくとも幅方向片側端部に段差受部を，上記幕板先付金具に載置片をそれぞれ配置し，上記幕板裏面に先付け固定した幕板先付金具の載置片を上記大引の段差受部に載置固定することによって上記幕板先付金具を大引に直接固定し且つデッキ材を大引に後付固定することによってデッキ材長手方向端面に対して幕板を直交配置してなることを特徴とする請求項１に記載のデッキとしたものである。
【０００９】
請求項３に記載の発明は，同じく上記に加えて，上記大引の段差受部に対する幕板先付金具の載置片の載置固定に加えて，大引の側面において幕板先付金具を受止めすることによって，更に安定且つ確実な幕板先付金具の設置を可能とするように，これを，上記大引の側面上下中間位置に上向き開口の受溝を，幕板先付金具に該受溝に係合する支持突起をそれぞれ配置し，上記段差受部への載置片の載置固定に加えて，幕板先付金具の支持突起を大引の受溝に係合支持してなることを特徴とする請求項２に記載のデッキとしたものである。
【００１０】
請求項４に記載の発明は，同じく上記に加えて，デッキ材の配置によって定まるデッキの側面又は正面におけるデッキ材の側面が現れる箇所に幕板を設置するに，該箇所はデッキ材と直交することによって大引の端面が現れるので，該大引の長手方向先端の側面に支持金具を設置し，該支持金具に対して幕板先付金具を嵌着することによって，大引に幕板先付金具を間接固定して幕板を設置する形態とするように，これを，デッキ材を支持する大引固定用の支持金具と端部位置のデッキ材側面に化粧配置する幕板先付固定用の幕板先付金具とを備えるとともにこれら支持金具と幕板先付金具とを相互に嵌着自在とし，上記幕板裏面に先付け固定した幕板先付金具と大引の側面に固定した支持金具を相互に嵌着することによって，上記幕板先付金具を該支持金具を介して大引に間接固定して端部位置のデッキ材側面に対して幕板を平行に添設配置してなることを特徴とする請求項１に記載のデッキとしたものである。
【００１１】
請求項５に記載の発明は，同じく上記に加えて，支持金具と幕板先付金具の嵌着を，引掛係止とスナップイン係止を併用することによって簡易な作業で確実になし得るとともに固定を強固且つ安定してなし得るものとするように，これを，上記支持金具と幕板先付金具の嵌着を，支持金具と幕板先付金具にそれぞれ配置した引掛係止部の引掛係止と該引掛係止部を支軸とする回動押圧によるスナップイン係止部のスナップイン係止によって行ってなることを特徴とする請求項４に記載のデッキとしたものである。
【００１２】
請求項６に記載の発明は，同じく上記に加えて，上記支持金具を長尺材を切断加工して形成することによって自ずとネジの螺入部位が形成されるものとしてその生産を容易化するとともに上記大引の側面に対する支持金具の固定を確実になし得るものとするように，これを，上記大引に幕板先付金具を間接固定するように該大引に設置した支持金具を，大引の側面にネジ止めする複数のタッピングホールを備えた長尺材を切断加工して形成し，その大引への固定を該タッピングホールから大引にネジを螺入することによって行ってなることを特徴とする請求項４又は５に記載のデッキとしたものである。
【００１３】
請求項７に記載の発明は，同じく上記に加えて，上記請求項２に記載の発明の場合と同様に，デッキ材の配置によって定まるデッキの正面又は側面におけるデッキ材の端面が現れる箇所に幕板を設置するに，デッキ材の長手方向端部に支持金具を設置し，上記請求項４に記載の発明の場合と同様に，該支持金具に対して幕板先付金具を嵌着することによって，デッキ材に幕板先付金具を間接固定して幕板を設置する形態とするように，これを，デッキ材固定用の支持金具とデッキ材長手方向端面に化粧配置する幕板先付固定用の幕板先付金具とを備えるとともにこれら支持金具と幕板先付金具とを相互に嵌着自在とし，上記幕板裏面に先付け固定した幕板先付金具とデッキ材長手方向端部に固定した支持金具を相互に嵌着することによって，上記幕板先付金具を該支持金具を介してデッキ材に間接固定してデッキ材長手方向端面に対して幕板を直交配置してなることを特徴とする請求項１に記載のデッキとしたものである。
【００１４】
請求項８に記載の発明は，デッキの２面乃至３面を，上記デッキ材長手方向端面に対して直交配置した幕板とデッキ材側面に平行に添設配置した幕板を用いて囲繞することによって，外観の良好なデッキを提供し得るものとするように，これを，請求項２，３又は７に記載のデッキ材長手方向端面に対して直交配置した幕板と，請求項４，５又は６に記載の端部位置のデッキ材側面に対して平行に添設配置した幕板の双方を併用して平面２辺又は３辺のデッキ材を囲繞してなることを特徴とするデッキとしたものである。
【発明の効果】
【００１５】
本発明は以上のとおりに構成したから，請求項１に記載の発明は，幕板の裏面に予め幕板先付金具を先付け固定し，該幕板先付金具をデッキの大引に対して，例えばネジ等の金具によって直接に固定し又は大引に該幕板先付金具を受止めする支持金具を固定し，該支持金具を介して間接的に固定することによって，幕板からのネジ固定を行うことなく幕板を設置可能とし，幕板の表面にネジが露出するのを防止して外観を良好とするとともに隣地や他の構造物等と近接してネジ螺入操作のスペースを確保し得ない現場においても幕板を設置し得るようにしたデッキを提供することができる。
【００１６】
請求項２に記載の発明は，上記に加えて，デッキ材の配置によって定まるデッキの正面又は側面におけるデッキ材の端面が現れる箇所に幕板を設置するに，該箇所のデッキ材と直交することによって現れる大引の側面の長手方向適宜位置の上面に幕板先付金具の載置片を載置固定することによって，大引に幕板先付金具を直接固定して幕板を設置する形態とすることができる。
【００１７】
請求項３に記載の発明は，同じく上記に加えて，上記大引の段差受部に対する幕板先付金具の載置片の載置固定に加えて，大引の側面において幕板先付金具を受止めすることによって，更に安定且つ確実な幕板先付金具の設置を行うことができる。
【００１８】
請求項４に記載の発明は，同じく上記に加えて，デッキ材の配置によって定まるデッキの側面又は正面におけるデッキ材の側面が現れる箇所に幕板を設置するに，該箇所のデッキ材と直交することによって現れる大引の端面が現れるので，該大引の長手方向先端の側面に支持金具を設置し，該支持金具に対して幕板先付金具を嵌着することによって，大引に幕板先付金具を間接固定して幕板を設置する形態とすることができる。
【００１９】
請求項５に記載の発明は，同じく上記に加えて，支持金具と幕板先付金具の嵌着を，引掛係止とスナップイン係止を併用することによって簡易な作業で確実になし得るとともに固定を強固且つ安定したものとすることができる。
【００２０】
請求項６に記載の発明は，同じく上記に加えて，上記支持金具を長尺材を切断加工して形成することによって自ずとネジの螺入部位が形成されるものとしてその生産を容易化するとともに上記大引の側面に対する支持金具の固定を確実なものとすることができる。
【００２１】
請求項７に記載の発明は，同じく上記に加えて，デッキ材の配置によって定まるデッキの正面又は側面におけるデッキ材の端面が現れる箇所に幕板を設置するに，デッキ材の長手方向端部に支持金具を設置し，該支持金具に対して幕板先付金具を嵌着することによって，デッキ材に幕板先付金具を間接固定して幕板を設置する形態とすることができる。
【００２２】
請求項８に記載の発明は，デッキの２面乃至３面を，上記デッキ材長手方向端面に対して直交固定した幕板とデッキ材側面に平行に添設配置した幕板を用いて囲繞することによって，外観の良好なデッキを提供することができる。
【発明を実施するための最良の形態】
【００２３】
以下図面の例に従って本発明を更に具体的に説明すれば，図１乃至図５においてＡは，テラス窓の室外側に設置したデッキであり，該デッキＡは，常法に従って，図示省略の基礎石上に多数の束柱１を起立固定し，該束柱１上にデッキ材３支持用の大引２を架設固定し，該大引２に直交して，本例にあってテラス窓から正面側に向けてデッキ材３を並列するように載置固定し，デッキＡの２面乃至３面をデッキ材３側面に平行に添設配置した幕板４と，デッキ材３長手方向端面に対して直交固定した幕板４を用いて囲繞したものとしてあり，このとき本例のデッキＡにあって，デッキ材３及び幕板４はそれぞれ同一断面形状の合成樹脂の中空押出材を用いる一方，束柱１及び大引２はそれぞれ同じく同一断面形状のアルミ押出材を用いたものとしてある。
【００２４】
幕板４は，幕板４裏面に先付け固定した幕板先付金具５を用い，該幕板先付金具５をデッキ材３支持用の大引２に対して直接固定し，また該大引２に設置した支持金具６を介して間接固定することによってデッキ材３に対して配置したものとしてある。
【００２５】
このとき上記正面側に向けてデッキ材３を並列するように配置して正面にデッキ材３の端面が現れる本例のデッキＡにあって，上記囲繞配置した２面乃至３面のうち，その正面側の幕板４は，デッキ材３を支持する大引２とデッキ材３長手方向端面に化粧配置する幕板先付用の幕板先付金具５とを備えるとともに上記大引２上面の少なくとも幅方向片側端部に段差受部２２を，上記幕板先付金具５に載置片５３をそれぞれ配置し，上記幕板４裏面に先付け固定した幕板先付金具５の載置片５３を上記大引２の段差受部２２に載置固定することによって上記幕板先付金具５を大引２に直接固定し且つデッキ材３を大引２に後付固定することによってデッキ材３長手方向端面に対して直交配置したものとしてあり，このとき本例にあって，該幕板４の設置は，上記大引２の側面上下中間位置に上向き開口の受溝２３を，幕板先付金具５に該受溝２３に係合する係合突起５４をそれぞれ配置し，上記段差受部２２への載置片５３の載置固定に加えて，その下端において幕板先付金具５の係合突起５４を大引２の受溝２３に係合支持して行ったものとしてある。
【００２６】
また本例のデッキＡにあって上記２面乃至３面のうち，その側面側の幕板４は，デッキ材３を支持する大引固定用の支持金具６と端部位置のデッキ材３側面に化粧配置する幕板先付固定用の幕板先付金具５とを備えるとともにこれら支持金具６と幕板先付金具５とを相互に嵌着自在とし，上記幕板４裏面に先付け固定した幕板先付金具５と大引２に固定した支持金具６を相互に嵌着することによって，上記幕板先付金具５を該支持金具６を介して大引２に間接固定して端部位置のデッキ材３側面に対して平行に添設配置したものとしてあり，このとき本例にあって，上記大引２に幕板先付金具５を間接固定するように該大引２に設置した支持金具６を，大引２の側面にネジ８止めする複数のタッピングホール６２を備えた長尺材を切断加工して形成し，その大引２への固定を該タッピングホール６２から大引２にネジ８を螺入することによって行い，また上記支持金具６と幕板先付金具５の嵌着は，これを，支持金具６と幕板先付金具５にそれぞれ配置した引掛係止部５５，６３の引掛係止と該引掛係止部５５，６３を支軸とする回動押圧によるスナップイン係止部５７，６４  のスナップイン係止によって行ったものとしてある。
【００２７】
即ち本例の正面においてデッキ材３の長手方向端面に対して幕板４を直交固定し，また側面においてデッキ材３側面に平行に幕板４を添設配置したデッキＡにあって，幕板４の固定に用いる幕板先付金具５は，それぞれに専用にして異なる２種の形状のもの用いてあり，前者，即ちデッキＡの正面に幕板４を設置する幕板先付金具５は，これを単独使用して大引２に直接固定する形態のものとし，また後者，即ちデッキＡの側面に幕板４を設置する幕板先付金具５は，これを大引２に固定した支持金具６とともに用い，該支持金具６に嵌着することによって大引２に間接固定する形態のものとしてある。
【００２８】
これを先ずデッキＡ正面への幕板４の固定，次いでデッキＡ側面への幕板４の固定の順で，正面用の幕板先付金具５と大引２，更に側面用の幕板先付金具５，支持金具６の構成を含めて説明すれば，本例における上記デッキＡ正面への幕板４固定に用いる幕板先付金具５は，例えば幕板４と大引２間に配置する金具基部５１と，該金具基部５１の幕板４側にその裏面に対接するように配置した上下を対とする固定片５２と，上記金具基部５１の大引側の上端から大引２に向けて突設した載置片５３と，同じく金具基部５１の大引２側に下方に向けて突設した係合突起５４とを備えたものとしてあり，本例にあって金具基部５１は，例えば断面Ｓ字状，断面ロ字状等の適宜の断面形状，本例においては断面Ｚ字状をなすことによりその剛性を確保したものとしてあり，本例の固定片５２は，例えば該金具基部５１の幕板側に金具基部５１の上下端部から上下に突設した起立フィンによるものとしてあり，載置片５３は該金具基部５１の大引側の上端部から水平に突設した水平フィンによるものとしてあり，また係合突起５４は該金具基部５１の大引側の下端部から下方に垂直に突設した垂直フィンによるものとしてある。
【００２９】
また本例で用いる大引２は，幅方向に左右対称の断面形状とすることによってその左右勝手を解消してあり，該大引２は適宜断面，本例にあっては断面矩形乃至方形の中空基部２１と，該中空基部２１における上面の幅方向両端に，上記載置片５３の肉厚と突出幅に合せて上面より低く形成した段差受部２２と，中空基部２１の両側面下方に断面Ｌ字突起を突設することによって配置した上記係合突起５４の肉厚に合せて上向きに開口して配置した受溝２３とを備えたものとしてある。また本例における上記デッキＡ正面への幕板４固定に用いる幕板先付金具５は，例えば幕板４と大引２間に配置する金具基部５１と，該金具基部５１の幕板側にその裏面に対接するように配置した上下を対とする固定片５２と，上記金具基部５１の大引側の上端から大引２に向けて突設した載置片５３と，同じく金具基部５１の大引側に下方に向けて突設した係合突起  とを備えたものとしてある。
【００３０】
従ってデッキＡの正面においては，その長手方向複数箇所でそれぞれ幕板先付金具５の固定片５２を幕板４の裏面に対接し，ネジ８を固定片５２側から幕板４の裏面に螺入することによって該幕板先付金具５を幕板４の裏面に先付けし，上記束柱１に架設固定し，デッキ材３を設置する以前の大引２に対して，該大引２の段差受部２２に幕板先付金具５の載置片５３を載置するとともに大引２の受溝２３に幕板先付金具５の係合突起５４を嵌挿するように係合支持し，上記載置片５３から大引２の段差受部２２に対して，ネジ８を螺入することによって該載置片５３を大引２に固定することによって，幕板４の設置を行うようにしてある。
【００３１】
一方，本例における上記デッキＡ側面への幕板４固定に用いる幕板先付金具５は，例えば幕板裏面に添設する金具基部５１と，該金具基部５１に幕板４の裏面に対接するように配置した上下を対とする固定片５２と，該金具基部５１の中間から裏面側，即ち支持金具６側に突設した先端に一方のスナップイン係止部５７を配置した係止片５６と，上記金具基部５１乃至その固定片５２に支持金具側に突設して配置した一方の引掛係止部５５とを備えたものとしてあり，本例にあって金具基部５１は幕板４の裏面に面接する垂直のものとし，固定片５２は該金具基部５１の部分をなすようにその上下を延長することによって配置したものとし，係止片５６は金具基部５１から水平のフィン状に突設し，そのスナップイン係止部５７を上向きに突出した矢尻状のものとし，また引掛係止部５５は上記金具基部５１の部分をなす下位の固定片５２下端から下方を開口して断面下向きＵ字状に突設した下向きＵ字突起によるものとしてある。
【００３２】
また本例で用いる支持金具６は，例えばコ字状，Ｃ字状，傾斜屈曲状等適宜断面の金具基部６１と，該金具基部６１に複数配置した螺孔，本例にあっては上記タッピングホール６２と，金具基部６１の表面側，即ち幕板先付金具側に配置した他方のスナップイン係止部６４と，金具基部６１の同じく幕板先付金具側に配置した他方の引掛係止部６３と，金具基部６１から同じく幕板先付金具側に突設し幕板先付金具５の裏面に対接する支持突片６５と，金具基部６１乃至該支持突片６５に裏面側，即ちデッキ材側に向けてデッキ材３の下端位置に合せた高さに配置したデッキ材係合部６６とを備えたものとしてあり，本例の金具基部６１は，上下に傾斜して大引２の側面に上方を大引２の奥行方向に位置するように傾斜対接し且つ下方を垂直面とした傾斜屈曲状のプレートによるものとし，螺孔  ，本例のタッピングホール６２は，上下を対とし且つ上下垂直線上に位置するように上位のタッピングホール６２を金具基部６１に直付け状に，下位のタッピングホール６２を金具基部６１から連結片を介して大引２の奥行方向突出状に配置したものとし，スナップイン係止部６４は，金具基部６１の上方に水平に配置した水平突部の下面先端に下向きに突出した同じく矢尻状のものとし，引掛係止部６３は，上記幕板先付金具５の引掛係止部５５を回動自在に軸支するようにこれを嵌挿するように金具基部６１の下端から幕板先付金具５側に上方を開口して断面上向きＵ字状に突設し，先端に膨出した支軸部を備えた上向きＵ字突起によるものとし，支持突片６５は，上記スナップイン係止部６４を配置した水平突部から上向き傾斜してスナップイン係止部６４のスナップイン係止状態で先端が幕板先付金具５の金具基部５１乃至その固定片５２に弾発的に対接する長さを有する傾斜突片によるものとしてあり，またデッキ材係合部６６は，上記支持突片６５の中間位置からデッキ材３側に向けて該デッキ材３の底板先端を受入係合自在に突設した断面Ｌ字状突起によるものとしてある。
【００３３】
従ってデッキＡの側面においては，同じくその長手方向複数箇所でそれぞれ幕板先付金具５の固定片５２を幕板４の裏面に対接し，ネジ８を固定片５２側から幕板４の裏面に螺入することによって該幕板先付金具５を幕板４の裏面に先付けする一方，上記束柱１に架設固定した大引２の側面に，上記引掛係止部６３と支持突片６５が大引２先端から突出するように支持金具６の側面を対接し，そのタッピングホール６２から大引２の側面にネジ８を螺入することによって該支持金具６を大引２に固定し，然る後に幕板先付金具５の引掛係止部５５を支持金具６の引掛係止部６３に引掛係止し，上記支軸部を回動中心として幕板４を起すように回動押圧して相互のスナップイン係止部５７，６４をスナップイン係止することによって，幕板４の設置を行うようにしてある。
【００３４】
本例にあっては，これらデッキＡの正面及び側面に幕板４を設置した後に，大引２にデッキ材３を載置して，所定箇所でボルト３１によってその固定を行うことによってデッキ材３を後付固定するものとしてあり，このとき該ボルト３１によるデッキ材３の後付固定は，上記大引２を左右勝手自在としたことによって，例えば，本例にあって大引２の先端部において該大引２に固定した上記正面の幕板４を設置する幕板先付金具５と，大引２の段差受部２２に載置片を同様にネジ８で固定した断面Ｔ字状のボルト受部材２５とに対してこれを行って，該大引２の前後でこれに対して間接的に行ったものとしてある。なお図中２４は，大引２に交差するように配置した補強材等の先端を載置固定する，大引２の側面から水平に突出したフィンである。
【００３５】
図６乃至図９は，他の例に係るもので，デッキ材固定用の支持金具６とデッキ材３長手方向端面に化粧配置する幕板先付固定用の幕板先付金具５とを備えるとともにこれら支持金具６と幕板先付金具５とを相互に嵌着自在とし，上記幕板４裏面に先付け固定した幕板先付金具５とデッキ材３長手方向端部に固定した支持金具６を相互に嵌着することによって，上記幕板先付金具５を該支持金具６を介してデッキ材３に間接固定してデッキ材３長手方向端面に対して幕板４を直交配置した例を示すものである。即ちこれらの例にあっては，上記支持金具６の固定を大引３に対して行うに代えて，デッキ材３長手方向端部に固定し，これに幕板先付金具５を嵌着して幕板４の設置を行うようにしたものとしてある。
【００３６】
図６及び図７は，支持金具６を，その金具基部６１からデッキ材３の底板端面を超えてデッキ材３の中空部の底板上に至るネジ固定片６７を一体に備えたものとし，デッキ材３の下面からその底板を介して該底板上に位置するネジ固定片６７に対してネジ８を螺入することによって該支持金具６をデッキ材３に固定した例，図８及び図９は，支持金具６を，その垂直屈曲状のプレートとした金具基部６１から同じく底板端面を超えてデッキ材３の中空部にデッキ材３の端面側のネジ止め傾斜面６８と該ネジ止め傾斜面６８を支える傾斜支持脚６９とを逆Ｖ字状に配置する一方，同じく金具基部６１に上記ネジ止め傾斜面６８と平行にしてデッキ材３の下位に位置するネジ受突起７０を一体に備えたものとし，上記ネジ止め傾斜面６８からデッキ材３の底板を介して該ネジ受突起７０にネジ８を螺入することによって支持金具６をデッキ材３に固定した例である。
【００３７】
即ち図６及び図７において支持金具６のネジ固定片６７は，金具基部６１の上端から底板の端面を抱持するように底板下面，底板端面を経て中空部の底板上に至るように設置するとともに底板端面に沿う立上り部に，幕板先付金具側に向けて部分的に突出した上記支持片に相当する支持突起７１を形成したものとし，この場合，常法に従って大引２にデッキ材３を設置した後に，該支持金具６のネジ固定片６７をデッキ材３の端面から該デッキ材３の底板に向けて押圧して該底板を受入れ，デッキ材３の下面からネジ８を螺入することによって該支持金具６をデッキ材３に固定し，然る後に予め幕板４に先付固定した幕板先付金具５を，上記と同様に該支持金具６に引掛係止し，その支軸部を回動中心として回動押圧して相互のスナップイン係止を行うようにして幕板を設置するものとしてある。
【００３８】
この場合，ネジ８の螺入による支持金具６の固定をデッキ材３の下面から行うことによってデッキＡの高さが充分に得られない現場ではその作業性が低下するところ，図８及び図９の例ではデッキ材３の上面側からネジ８を螺入することによって該デッキＡの高さに拘らず支持金具６の固定をなし得るようにしたものであって，図８及び図９において支持金具６の逆Ｖ字状のネジ止め傾斜面６８とその傾斜支持脚６９は，これを同じく金具基部６１の上端からデッキ材３の底板下面，底板端面を経て中空部の先端に位置するように設置したものとし，また上記金具基部６１の下方を幕板先付金具側に向けた傾斜面として，その先端に上記と同様に引掛係止部５５を配置したものとしてあり，この場合，図６及び図７の例と同じくデッキ材３の端面から該デッキ材３の底板に向けて押圧して該底板を受入れ，デッキ材３の先端側のネジ止め傾斜面６８からネジ受突起７０にネジ８を螺入して該支持金具６をデッキ材３に固定し，然る後に同様に予め幕板４に先付固定した幕板先付金具５を，上記と同様に該支持金具６に引掛係止し，その支軸部を回動中心として回動押圧して相互のスナップイン係止を行うようにして幕板を設置するものとしてある。
【００３９】
なおこれら図６乃至図９の例にあって，支持金具６はその固定対象をデッキ材３とするためにこれらを別異のものとするも，幕板先付金具５は，上記デッキＡの側面に対してデッキ材３の側面に幕板４を添設固定するに用いたものと同一断面形状のものを共通使用してあり，従って支持金具６を上記大引２固定用とデッキ材固定用の２種類を用意することによって，該幕板先付金具５を共通にしてデッキＡの正面及び側面に幕板４を，これらの嵌着によって設置することが可能になる。その余の基本的構成は上記と変らないので重複する説明を省略する。
【００４０】
以上のように構成してデッキＡの正面乃至側面に設置した各幕板４は，その幕板先付金具５の固定を幕板４の裏面において行って，幕板４からネジ８を螺入することなく幕板４を設置可能とすることによって，幕板４の表面にネジ８が露出するのを防止し，デッキＡの外観を良好とするとともに幕板先付金具５の大引２に対する直接固定又は支持金具６を用いた大引２又はデッキ材３に対する間接固定のいずれによる幕板４の設置も，その作業のために特段のスペースを必要とせず，従って隣地や他の構造物等と近接してネジ螺入操作のスペースを確保し得ない現場においても容易且つ確実に幕板４を設置することができる。
【００４１】
図示した例は以上のとおりとしたが，幕板の裏面に固定する幕板先付金具を，例えばその金具基部を上記例に従って大引又はデッキ材に対して固定自在のものとして，該幕板先付金具をデッキ材に対して直接固定することによって幕板を設置する形態のものとすること，大引に幕板先付金具の載置片を載置固定するとき，幕板先付金具を大引の側面に対面するように配置する等して，上記支持突起と受溝の係合による幕板先付金具の係合支持の形態を省略すること，支持金具と幕板先付金具を用いるとき，それぞれ上下に複数のスナップイン係止部を配置することによって複数箇所におけるスナップイン係止を行うようにし，またこのとき上記引掛係止部の引掛係止を省略するようにすること，デッキ材を中実のプレート状のものとすること等を含めて，本発明の実施に当って，デッキ，デッキ材，大引，幕板，幕板先付金具，支持金具等の各具体的形状，構造，材質，これらの関係，これらに対する付加等は，上記発明の要旨に反しない限り様々な形態のものとすることができる。
【図面の簡単な説明】
【００４２】
【図１】デッキの斜視図である。
【図２】デッキの正面における幕板設置状態を示す縦断面図である。
【図３】幕板先付金具及び大引の縦断面図である。
【図４】デッキの側面における幕板設置状態を示す縦断面図である。
【図５】幕板先付金具及び支持金具の縦断面図である。
【図６】他の例に係る幕板設置状態を示す縦断面図である。
【図７】図６における支持金具の縦断面図である。
【図８】更に他の例に係る幕板設置状態を示す縦断面図である。
【図９】図８における支持金具の縦断面図である。
【符号の説明】
【００４３】
Ａ  デッキ
１  束柱
２  大引
２１  中空基部
２２  段差受部
２３  受溝
２４  フィン
２５  ボルト受部材
３  デッキ材
３１  ボルト
４  幕板
５  幕板先付金具
５１  金具基部
５２  固定片
５３  載置片
５４  係合突起
５５  引掛係止部
５６  係止片
５７  スナップイン係止部
６  支持金具
６１  金具基部
６２  タッピングホール
６３  引掛係止部
６４  スナップイン係止部
６５  支持突片
６６  デッキ材係合部
６７  ネジ固定片
６８  ネジ止め傾斜面
６９  支持脚
７０  ネジ受突起
７１  支持突起
８  ネジ
【図１】
2007191983.tif 000003
【図２】
2007191983.tif 000004
【図３】
2007191983.tif 000005
【図４】
2007191983.tif 000006
【図５】
2007191983.tif 000007
【図６】
2007191983.tif 000008
【図７】
2007191983.tif 000009
【図８】
2007191983.tif 000010
【図９】
2007191983.tif 000011